(57)【特許請求の範囲】
【請求項１】
天板受け面を有した脚本体と、この脚本体の側面に着脱可能かつ天板を天板受け面に引き付ける方向に沿って遊動可能に設けられ緊締具を介して天板を前記天板受け面に引きつけて当接させるためのブラケットとを具備してなることを特徴とする天板支持用の脚。
【請求項２】
前記脚本体に設けた係合孔と前記ブラケットに設けた係合爪とを係合させることによって前記脚本体に対して前記ブラケットを着脱可能に取り付けるようにしている請求項１記載の天板支持用の脚。
【請求項３】
前記係合爪を前記係合孔に挿入した状態で、前記ブラケットが前記天板受け面以下の高さ領域において上下方向に遊動可能となるように前記係合孔及び係合爪の大きさを設定している請求項２記載の天板支持用の脚。
【請求項４】
左右に隣接する天板の側縁部を支持するための共通の天板受け面を有するアームと、このアームを下方から支持する支柱とを具備してなる脚本体を備え、前記アームの一方の側面に一方の天板を引きつけるためのブラケットを取り付けるとともに、前記アームの他方の側面に他方の天板を引きつけるためのブラケットを取り付けるようにしている請求項１、２または３記載の天板支持用の脚。
【請求項５】
複数の天板を隣接配置してなり特定の天板を取り外して異なった形態で使用することもできるようにした天板付家具に使用されるものであって、取り外される天板を支持する脚として用いられる請求項１、２または３記載の天板支持用の脚。
【請求項６】
複数の天板を隣接配置してなり天板を追加して異なった形態で使用することもできるようにした天板付家具に使用されるものであって、追加される天板を支持する脚として用いられる請求項１、２または３記載の天板支持用の脚。
【請求項７】
対面配置させた天板の側縁部を支持可能な天板受け面を有し天板の幅方向に所定の間隔をあけて配置される複数の脚と、これら脚の奥行き方向中間部間に架設されたダクトと、反使用端を前記ダクト側に位置させて前記脚上に載置される天板とを具備してなる天板付家具であって、
前記脚のうちの少なくとも１つが、天板受け面を有した脚本体と、この脚本体の側面に着脱可能かつ天板を天板受け面に引き付ける方向に沿って遊動可能に設けられ緊締具を介して天板を前記天板受け面に引きつけて当接させるためのブラケットとを具備してなるものであることを特徴とする天板付家具。
【請求項８】
前記脚本体に設けた係合孔と前記ブラケットに設けた係合爪とを係合させることによって前記脚本体に対して前記ブラケットを着脱可能に取り付けるようにしている請求項７記載の天板付家具。
【請求項９】
前記係合爪を前記係合孔に挿入した状態で、前記ブラケットが前記天板受け面以下の高さ領域において上下方向に遊動可能となるように前記係合孔及び係合爪の大きさを設定している請求項８記載の天板付家具。
【発明の詳細な説明】
【技術分野】
【０００１】
本発明は、フリーアドレスタイプの大型テーブル等に好適に使用される天板支持用の脚、及びその脚を用いた天板付家具に関する。
【背景技術】
【０００２】
従来、例えば、この種のテーブルとして、対面配置させた天板の側縁部を支持可能な天板受け面を有し天板の幅方向に所定の間隔をあけて配置される複数の脚と、これら脚の奥行き方向中間部間に架設されたダクトと、反使用端を前記ダクト側に位置させて前記脚上に載置される天板とを具備してなるものが知られている（例えば、特許文献１を参照）。
【０００３】
このようなテーブルは、業務の態様に応じて、レイアウトを変更しなければならないこともある。そのため、特定の天板を取り外したり、新たな天板を追加したりする等、種々の態様で使用したいという要望がある。
【０００４】
ところが、従来、この種のテーブルにおける脚は、脚本体と、この脚本体に溶接等により固設したブラケットとを具備してなり、このブラケット上に天板を取り付けるようにしている。そのため、特定の天板を取り外した場合、前記ブラケットがむきだしになり、天板を取り外すことにより形成された空間の使用に支障をきたすおそれがあった。また、他の天板を後で取り付けることができるようにしている場合も同様な不具合が生じ得る。さらに、前記脚を正規の位置から他の位置に移動させたり、同様な脚を追加したりして、異なった態様で天板を支持させるような場合でも、前記ブラケットが邪魔になって、前記脚の配置態様に制限を受けるという問題がある。
【０００５】
このような不具合を解消するために、本発明者らは、幾多の試行錯誤を繰り返した結果、前記ブラケットを前記脚本体に対して着脱可能に設けることが望ましい、という結論を得た。しかしながら、従来のものは、ブラケットで天板を直接支持するようにしているため、単にブラケットを脚本体に対して着脱可能にしただけでは、前記ブラケットと脚本体との着脱係合部分に大きな応力が作用することになり、ブラケットを脚本体に溶接により固定している場合に比べて、荷重を受けるための強度が大幅に低下するという問題の発生が予想される。
【先行技術文献】
【特許文献】
【０００６】
【特許文献１】特開２０１０−４９６２
【発明の概要】
【発明が解決しようとする課題】
【０００７】
本発明は、前述した事情に着目してなされたもので、天板の支持態様を多様化しようとする場合に発生する特有の課題、すなわち、荷重を受けるための強度が大幅に低下するという課題を解消することができる天板支持用の脚、及びこの脚を用いた天板付家具を提供することを目的とする。
【課題を解決するための手段】
【０００８】
本発明は、以上のような課題を解決するために、次のような構成を採用したものである。すなわち、本発明に係る天板支持用の脚は、天板受け面を有した脚本体と、この脚本体の側面に着脱可能かつ天板を天板受け面に引き付ける方向に沿って遊動可能に設けられ緊締具を介して天板を前記天板受け面に引きつけて当接させるためのブラケットとを具備してなることを特徴とする。
【０００９】
このようなものであれば、天板受け面に天板を載置し、緊締具を締め付けていくと、ブラケットを足場にして前記天板が脚本体側に引きつけられ、前記天板受け面に天板が当接される。そのため、天板からの下向き荷重は、ブラケットを介さずに直接天板支持用の脚に作用することになり、ブラケットを着脱可能にしているにもかかわらず、天板を脚本体によって強固に支持することが可能になる。
【００１０】
特に、天板の支持態様を多様化するには、前記脚本体に設けた係合孔と前記ブラケットに設けた係合爪とを係合させることによって前記脚本体に対して前記ブラケットを着脱可能に取り付けるようにしているのが好ましい。
【００１１】
前記係合爪を前記係合孔に挿入した状態で、前記ブラケットが前記天板受け面以下の高さ領域において上下方向に遊動可能となるように前記係合孔及び係合爪の大きさを設定していれば、天板の遊動をも防止することができる。
【００１２】
脚本体の具体的な態様としては、左右に隣接する天板の側縁部を支持するための共通の天板受け面を有するアームと、このアームを下方から支持する支柱とを具備してなり、前記アームの一方の側面に一方の天板を引きつけるためのブラケットを取り付けるとともに、前記アームの他方の側面に他方の天板を引きつけるためのブラケットを取り付けるようにしているものを挙げることができる。
【００１３】
このような脚の好適な一態様としては、複数の天板を隣接配置してなり特定の天板を取り外して異なった形態で使用することもできるようにした天板付家具に使用されるものであって、取り外される天板を支持する脚として用いられるものが挙げられる。
【００１４】
また、脚の好適な他の態様としては、複数の天板を隣接配置してなり天板を追加して異なった形態で使用することもできるようにした天板付家具に使用されるものであって、追加される天板を支持する脚として用いられるものが挙げられる。
【００１５】
上述したような天板支持用の脚を適用した好適な天板付家具は、対面配置させた天板の側縁部を支持可能な天板受け面を有し天板の幅方向に所定の間隔をあけて配置される複数の脚と、これら脚の奥行き方向中間部間に架設されたダクトと、反使用端を前記ダクト側に位置させて前記脚上に載置される天板とを具備してなるものであって、前記脚のうちの少なくとも１つが、天板受け面を有した脚本体と、この脚本体の側面に着脱可能かつ天板を天板受け面に引き付ける方向に沿って遊動可能に設けられ緊締具を介して天板を前記天板受け面に引きつけて当接させるためのブラケットとを具備してなるものであることを特徴とする。
【発明の効果】
【００１６】
本発明は、以上のような構成であるから、天板の支持態様を多様化しようとする場合に発生する特有の課題、すなわち、荷重を受けるための強度が大幅に低下するという課題を解消することができる天板支持用の脚、及びこの脚を用いた天板付家具を提供することができる。
【図面の簡単な説明】
【００１７】
【図１】本発明の第１実施形態にかかる天板付家具を示す全体斜視図。
【図２】同実施形態の天板付家具を示す平面図。
【図３】同実施形態の天板付家具を示す正面図。
【図４】図２におけるＸ−Ｘ線断面図。
【図５】同実施形態の要部を示す平面図。
【図６】同実施形態の要部を示す斜視図。
【図７】同実施形態の要部を拡大して示す説明図。
【図８】同実施形態の要部を拡大して示す説明図。
【図９】本発明の第２実施形態にかかる天板付家具を示す平面図。
【図１０】図９におけるＹ−Ｙ線断面図。
【図１１】本発明の第３実施形態にかかる天板付家具を示す平面図。
【図１２】本発明の第４実施形態にかかる天板付家具を示す平面図。
【図１３】本発明の第５実施形態にかかる天板付家具を示す平面図。
【発明を実施するための形態】
【００１８】
以下、本発明の第１実施形態について図１ないし図８を参照しながら説明する。
【００１９】
この実施形態は、本発明の脚を天板付家具であるフリーアドレス用テーブルの中間脚３Ａ、３Ｂとして利用した場合のものである。以下、この実施形態においては、本発明の脚を「中間脚」と称する。
【００２０】
このテーブルは、図１ないし図３に示すように、対をなす端部脚１Ａ、１Ｂ間に、例えば６枚の天板２Ａ〜２Ｆを相互に対面させて配置するとともに、左右方向に隣接する天板２Ａ〜２Ｆの側縁部２Ａ１〜２Ｆ１をそれぞれ中間脚３Ａ、３Ｂにより支持させてなり、前記端部脚１Ａ、１Ｂと中間脚３Ａ、３Ｂとの間及び中間脚３Ａ、３Ｂ間に、それぞれ配線ダクト４Ａ、４Ｂ、４Ｃを架設している。換言すれば、このテーブルは、対面配置させた天板２Ａ〜２Ｆの側縁部２Ａ１〜２Ｆ１を支持可能な天板受け面３Ａ１、３Ｂ１を有し天板２Ａ〜２Ｆの幅方向に所定の間隔をあけて配置される複数の中間脚３Ａ、３Ｂと、これら中間脚３Ａ、３Ｂの奥行き方向中間部間に架設された配線ダクト４Ａ、４Ｂ、４Ｃと、反使用端２Ａ２〜２Ｆ２を前記配線ダクト４Ａ、４Ｂ、４Ｃ側に位置させて前記中間脚３Ａ、３Ｂ上に載置される天板２Ａ〜２Ｆとを具備してなる。
【００２１】
端部脚１Ａは、図１ないし図３及び図５に示すように、壁体状をなす脚本体１１と、この脚本体１１の上端部内側面に固設されたブラケット１２とを具備してなるもので、これらのブラケット１２上に前記天板２Ａ、２Ｂの一方の側縁部２Ａ１、２Ｂ１を取り付けている。
【００２２】
端部脚１Ｂは、図１ないし図３に示すように、天板２Ｅ、２Ｆの一方の側縁部２Ｅ１、２Ｆ１を支持するもので、端部脚１Ａと同一の部分には、同一の符号を付して説明を省略する。
【００２３】
中間脚３Ａは、図１ないし図８に示すように、天板２Ａ、２Ｂ、２Ｃ、２Ｄの側縁部２Ａ１、２Ｂ１、２Ｃ１、２Ｄ１を支持するためのもので、天板受け面３Ａ１を有した脚本体３１と、この脚本体３１の側面３１ａ、３１ｂに着脱可能に設けられ緊締具たるボルト３２を介して天板２Ａ、２Ｂ、２Ｃ、２Ｄを前記天板受け面３Ａ１に引きつけて当接させるためのブラケット３３とを具備してなる。
【００２４】
詳述すれば、脚本体３１は、図３ないし図６に示すように、左右に隣接する天板２Ａ、２Ｂ、２Ｃ、２Ｄの側縁部２Ａ１、２Ｂ１、２Ｃ１、２Ｄ１を支持するための共通の天板受け面３Ａ１を有するアーム３１１と、このアーム３１１を下方から支持する対をなす支柱３１２とを具備してなる。前記支柱３１２の下端にアジャスタ３１３が設けられている。前記支柱３１２は、複数の横架材３１４により相互に結合されている。そして、この脚本体３１のアーム３１１の一方の側面３１ａに一方の天板２Ａ、２Ｂを引きつけるためのブラケット３３を取り付けるとともに、前記アーム３１１の他方の側面３１ｂに他方の天板２Ｃ、２Ｄを引きつけるためのブラケット３３を取り付けている。なお、天板２Ａ、２Ｂ、２Ｃ、２Ｄをアーム３１１に取り付ける前の状態において、ブラケット３３は、螺子、ボルト、ファスナ等の固定手段を介することなくアーム３１１に対して取り付けられている。
【００２５】
前記アーム３１１は、図４ないし図８に示すように、水平に配される角柱パイプ状のもので、左右の起立壁の上端を繋ぐ上壁の上面を天板受け面３Ａ１としている。詳述すれば、このアーム３１１は、前記天板２Ａ、２Ｃを支持する片半部３１５と、前記天板２Ｂ、２Ｄを支持する片半部３１６とを備えたもので、各片半部３１５、３１６の一方の起立壁の側面３１ａには、一方の天板２Ａ、２Ｂを引きつけるための２つのブラケット３３を取り付けるための取付領域３１７が設定されており、各取付領域３１７には係合孔３１８が設けられている。また、各片半部３１５、３１６の他方の起立壁の側面３１ｂには、他方の天板２Ｃ、２Ｄを引きつけるための２つのブラケット３３を取り付けるための取付領域３１７が設定されており、各取付領域３１７には係合孔３１８が設けられている。そして、各取付領域３１７における前記係合孔３１８に後述するブラケット３３の係合爪３３１をそれぞれ係合させることによって、前記脚本体３１に対して前記ブラケット３３をそれぞれ着脱可能に取り付けるようにしている。各取付領域３１７における係合孔３１８は、縦方向に延びるスリット状をなすもので、２つずつ対をなして設けられている。また、対をなす係合孔３１８間には、天板位置決め用の突起等の部品を取り付けるための取付孔３１９が設けられている。
【００２６】
前記ブラケット３３は、図２ないし図８に示すように、頂壁３３２と、この頂壁３３２の両側縁から垂下させた側壁３３３とを具備してなるもので、前記頂壁３３２にボルト３２を挿通させるためのボルト挿通孔３３６が設けられているとともに、前記両側壁３３３の基端に前記係合爪３３１が突出して設けられている。この係合爪３３１は、図７及び図８に示すように、上方に開放された上向きくびれ部３３４と、下方に開放された下向きくびれ部３３５とを具備してなる。また、前記ボルト挿通孔３３６は、円形または長孔状を成している。
【００２７】
そして、前記係合爪３３１を前記係合孔３１８に挿入した状態で、前記ブラケット３３が前記天板受け面３Ａ以下の高さ領域において上下方向に遊動可能となるように前記係合孔３１８及び係合爪３３１の大きさを設定している。また、前記係合爪３３１を前記係合孔３１８に挿入し手を離した状態でも、前記ブラケット３３は、螺子、ボルト、ファスナ等の固定手段を用いることなく前記アーム３１１に対して保持し得るよう構成されている。具体的には、係合爪３３１を係合孔３１８に挿入した状態において、前記下向きくびれ部３３５が係合孔３１８の下端３１８ａに係わり合い前記ブラケット３３が前記アーム３１１に保持されている。この状態を下限位置（Ｌ）とし、この位置から、前記上向きくびれ部３３４が係合孔３１８の上端３１８ｂに係わり合う上限位置（Ｈ）との間で、前記ブラケット３３が遊動するようにしてある。この係合爪３３１及び係合孔３１８は、前記ブラケット３３の上限位置（Ｈ）において、前記ブラケット３３の頂壁３３２が前記天板２Ａ、２Ｂ、２Ｃ、２Ｄの下面に微少な隙間を介して接近するような寸法に設定してある。また、このブラケット３３の下方からブラケットカバー３４が取り付けられている。
【００２８】
中間脚３Ｂは、図１ないし図３に示すように、天板２Ｃ、２Ｄ、２Ｅ、２Ｆの側縁部２Ｃ１、２Ｄ１、２Ｅ１、２Ｆ１を支持するためのもので、前記中間脚３Ａと同一の部分には、同一の符号を付して説明を省略する。
【００２９】
配線ダクト４Ａは、図２ないし図５に示すように、側板４１と底板４２とを具備してなるチャンネル状のもので、前記天板２Ａ、２Ｂの反使用端２Ａ２、２Ｂ２間に形成される隙間２Ａ３、２Ｂ３を介して上方に開放されており、前記隙間２Ａ３、２Ｂ３に、配線の出し入れ等をするための配線カバー５Ａを開閉可能に設けている。この配線ダクト４Ａは、端部脚１Ａと中間脚３Ａとの間に架設されており、脚１Ａ、３Ａ同士を連結するための構造材としての強度を備えている。
【００３０】
配線ダクト４Ｂは、図２及び図３に示すように、端部脚１Ｂと中間脚３Ｂとの間に架設されており、前記天板２Ｅ、２Ｆの反使用端２Ｅ２、２Ｆ２間に形成される隙間２Ｅ３、２Ｆ３を介して上方に開放されており、配線カバー５Ｂを開閉可能に設けているもので、前記配線ダクト４Ａと同一の部分には、同一の符号を付して説明を省略する。
【００３１】
配線ダクト４Ｃは、図２、図３及び図６に示すように、中間脚３Ａ、３Ｂ間に架設されており、前記天板２Ｃ、２Ｄの反使用端２Ｃ２、２Ｄ２間に形成される隙間２Ｃ３、２Ｄ３を介して上方に開放されており、配線カバー５Ｃを開閉可能に設けているもので、前記配線ダクト４Ａと同一の部分には、同一の符号を付して説明を省略する。なお、各配線ダクト４Ａ、４Ｂ、４Ｃの内部空間は、中間脚３Ａ、３Ｂに設けた配線挿通窓３５を介して連通されている。
【００３２】
以上に説明したような構成の中間脚３Ａ、３Ｂであれば、次のような作用を奏する。
【００３３】
ここで、例として、図８を用いて、天板２Ｃを中間脚３Ａに取り付ける場合について説明する。なお、この天板２Ｃを他の天板２Ａ、２Ｂ、２Ｄ、２Ｅ、２Ｆに替えたり、中間脚３Ａを中間脚３Ｂに替えたりしても同様な作用を奏するため、これらの場合についての説明を省略する。
【００３４】
まず、天板受け面３Ａ１に天板２Ｃを載置する前に脚本体３１の取付領域３１７にブラケット３３を仮保持させる。すなわち、前記脚本体３１の係合孔３１８にブラケット３３の係合爪３３１を挿入して手を離す。すると、前記ブラケット３３が自重により下限位置（Ｌ）に位置することになり、下向きくびれ部３３５が前記係合孔３１８の下縁３１８ａに係わり合ってこのブラケット３３が前記脚本体３１に仮保持される。
【００３５】
この状態で、前記天板受け面３Ａ１に天板２Ｃの側縁部２Ｃ１を載置し、ブラケット３３のボルト挿通孔３３６に下側から貫挿したボルト３２を天板２Ｃの下面部に設けたナット部２Ｃ４に螺合させる。この状態でボルト３２を締め付けていくと、前記ブラケット３３が前記上向きくびれ部３３４を係合孔３１８の上端３１８ｂに当接させた上限位置（Ｈ）まで上動し、さらにボルト３２を締め付けると、このブラケット３３を足場にして前記天板２Ｃが下方に引きつけられ、前記天板受け面３Ａ１に天板２Ｃの側縁部２Ｃ１が圧接される。
【００３６】
したがって、このようなものであれば、天板２Ｃからの下向き荷重はブラケット３３を介さずに直接中間脚３Ａに作用することになる。よって、ブラケット３３を着脱可能にしているにもかかわらず、天板２Ｃを中間脚３Ａによって強固に支持することが可能になる。
【００３７】
また、角柱パイプ状の前記アーム３１１の起立壁に係合孔３１８を設け、上限位置（Ｈ）において前記ブラケット３３の頂壁３３２が前記天板２Ａ、２Ｂ、２Ｃ、２Ｄの下面に微少な隙間を介して接近するような寸法に設定してあるので、ボルト３２を締め付けて前記天板２Ａ、２Ｂ、２Ｃ、２Ｄの下面と前記ブラケット３３の前記上向きくびれ部３３４とにより前記アーム３１１の一部を鉛直方向に圧縮する力が大きく作用したとしても、この圧縮力は起立壁で受けることになるので前記アーム３１１の変形を防止することができる。
【００３８】
さらに、このような中間脚３Ａを使用したテーブルであれば、後述する実施形態に示すような種々のレイアウト変更によって天板が取り外されたり追加されたりする場合でも、ブラケット３３を適宜着脱することによって、比較的適切に対応することが可能になる。
【００３９】
以上に述べたように、本実施形態に係るテーブルは、対面配置させた天板２Ａ〜２Ｆの側縁部２Ａ１〜２Ｆ１を支持可能な天板受け面３Ａ１、３Ｂ１を有し天板２Ａ〜２Ｆの幅方向に所定の間隔をあけて配置される複数の中間脚３Ａ、３Ｂと、これら中間脚３Ａ、３Ｂの奥行き方向中間部間に架設された配線ダクト４Ａ、４Ｂ、４Ｃと、反使用端２Ａ２〜２Ｆ２を前記配線ダクト４Ａ、４Ｂ、４Ｃ側に位置させて前記中間脚３Ａ、３Ｂ上に載置される天板２Ａ〜２Ｆとを具備してなるものであって、前記中間脚３Ａ、３Ｂが、それぞれ天板受け面３Ａ１、３Ｂ１を有した脚本体３１と、この脚本体３１の側面３１ａ、３１ｂに着脱可能に設けられ緊締具３２を介して天板２Ａ〜２Ｆを前記天板受け面３Ａ１、３Ｂ１に引きつけて当接させるためのブラケット３３とを具備してなるものであるため、天板２Ａ〜２Ｆからの下向き荷重は、ブラケット３３を介さずに直接天板支持用の中間脚３Ａ、３Ｂに作用することになり、ブラケット３３を着脱可能にしているにもかかわらず、天板２Ａ〜２Ｆを脚本体３１によって強固に支持することが可能になる。
【００４０】
また、前記脚本体３１に設けた係合孔３１８と前記ブラケット３３に設けた係合爪３３１とを係合させることによって前記脚本体３１に対して前記ブラケット３３を着脱可能に取り付けるようにしているので、所望の取付領域３１７のみにブラケット３３を選択的に取り付けることができる。
【００４１】
前記係合爪３３１を前記係合孔３１８に挿入した状態で、前記ブラケット３３が前記天板受け面３Ａ１、３Ｂ１以下の高さ領域において上下方向に遊動可能となるように前記係合孔３１８及び係合爪３３１の大きさを設定しているので、係合爪３３１を係合孔３１８に挿入させる操作が行いやすくなる。また、下向きくびれ部３３５によって仮保持ができるとともに、上向きくびれ部３３４によって前記ブラケット３３を中間脚３Ａ、３Ｂのアーム３１１にしっかりと係わり合わせることができる。
【００４２】
本実施形態で説明した中間脚３Ａ、３Ｂは、特に、左右に隣接する天板２Ａ〜２Ｆの側縁部２Ａ１〜２Ｆ１を支持するための共通の天板受け面３Ａ１、３Ｂ１を有するアーム３１１と、このアーム３１１を下方から支持する支柱３１２とを具備してなる脚本体３１を備え、前記アーム３１１の一方の側面３１ａに一方の天板２Ａ〜２Ｆを引きつけるためのブラケット３３を取り付けるとともに、前記アーム３１１の他方の側面３１ｂに他方の天板２Ａ〜２Ｆを引きつけるためのブラケット３３を取り付けるようにしているので、隣接する２枚の天板２Ａ〜２Ｆを支持することが可能である。また、ブラケット３３が着脱可能であるので、隣接する２枚の天板２Ａ〜２Ｆのうち一方の天板２Ａ〜２Ｆを中間脚３Ａ、３Ｂから取り外した場合に、むきだしになったブラケット３３を中間脚３Ａ、３Ｂから取り外せばよい。そうすると、露出したままのブラケット３３に使用者等がひっかかることがなくなり、また、家具としてのテーブルの見栄えもよくなる。
【００４３】
また、ブラケット３３を着脱することにより、種々の中間脚に対応することができ、部材の共通化を図ることができる。すなわち、従来のブラケットは、中間脚に溶接等により固設されており、中間脚からブラケットを取り外すという考え方はなかったが、本実施形態のブラケット３３であれば、中間脚３Ａ、３Ｂの片側にのみ天板２Ａ〜２Ｆを支持させたい場合には、その部分に対応するブラケット３３を取り付ければよく、一方、中間脚３Ａ、３Ｂの両側に天板２Ａ〜２Ｆを支持させたい場合には、その部分に対応するブラケット３３を取り付ければよい。このように、アーム３１１に係合孔３１８を設けておいて、その係合孔３１８にブラケット３３の着脱を選択的に行うことが可能になる。
【００４４】
また、従来のブラケットと中間脚との溶接の場合に比べて、製造工程も簡略化できる。
【００４５】
さらに、中間脚３Ａ、３Ｂを梱包する際にも、従来の中間脚においては、アームの側面からブラケットが突設された状態で行わなければならなかったが、本実施形態のブラケット３３であれば、ブラケット３３は、ブラケット３３同士でまとめて梱包できるとともに、アーム３１１は、ブラケット３３を取り付けていない状態で梱包でき、梱包作業及び運搬作業の効率が向上する。
【００４６】
次に、本発明の第２実施形態にかかるテーブルを図９及び図１０を用いて説明する。
【００４７】
このテーブルは、前記第１実施形態における中間の天板２Ｃを取り外し、その場所に２枚の天板２Ｇ、２Ｈを配置したものである。すなわち、天板２Ｃを取り外すことによって露出した配線ダクト４Ｃの側面に新たに追加した中間脚３Ｃを取り付けるとともに、この中間脚３Ｃに新たに追加した配線ダクト４Ｄを介して新たに追加した端部脚１Ｃと対面配置し、その端部脚１Ｃと前記中間脚３Ｃとの間に２枚の前記天板２Ｇ、２Ｈを配置している。
【００４８】
前記中間脚３Ａ、３Ｂは、複数の天板２Ａ〜２Ｆを隣接配置してなり特定の天板２Ｃを取り外して異なった形態で使用することもできるようにした天板付家具たるテーブルに使用されるものであって、取り外される天板２Ｃを支持するものである。また、前記中間脚３Ｃは、複数の天板２Ａ、２Ｂ、２Ｄ、２Ｅ、２Ｆを隣接配置してなり天板２Ｇ、２Ｈを追加して異なった形態で使用することもできるようにした天板付家具たるテーブルに使用されるものであって、追加される天板２Ｇ、２Ｈを支持するものである。
【００４９】
具体的には、新たに追加した中間脚３Ｃの一方の側面３１ａ、すなわち配線ダクト４Ｃ側の側面３１ａに取り付けられるべきブラケット３３は、配線ダクト４Ｃとの干渉を避けるために取り除いてある。また、中間脚３Ｃの他方の側面３１ｂにも天板２Ｇ、２Ｈを引きつけるための２つのブラケット３３を取り付けるための取付領域３１７が設定されている。この実施形態においては、前記中間脚３Ａ、３Ｂによっても天板２Ｇ、２Ｈが支持されている関係上、強度的に十分であるため、前記中間脚３Ｃのアーム３１１の基端側の取付領域３１７のみにブラケット３３を取り付けている。なお、符号５Ｄは開閉可能に設けられた配線カバーであり、符号６Ａは天板２Ｇ、２Ｈの寸法を調整するための巾木である。
【００５０】
本実施形態に係るテーブルは、前述した第１の実施形態に係るテーブルと同様な効果が得られる。さらに、このように脚本体３Ｃに対してブラケット３３が着脱可能であるので、配線ダクト４Ｃ等の他の部材との干渉や強度上の要求に応じることができる。
【００５１】
また、ブラケット３３が着脱可能に設けられているので、種々の中間脚に対応することができ、部材の共通化を図ることができる。すなわち、前記アーム３１１に係合孔３１８を設けておいて、その係合孔３１８にブラケット３３の着脱を選択的に行うことが可能になる。そのため、テーブルの種々のレイアウト変更にも容易に対応することが可能になる。
【００５２】
次に、本発明の第３実施形態にかかるテーブルを図１１を用いて説明する。
【００５３】
このテーブルは、前記第１実施形態における中間の天板２Ｃを取り外し、その場所に試作品やコピー機等の種々の必要物品を配置するためのスペースＳを確保したものである。すなわち、前記中間脚３Ａ、３Ｂは、複数の天板２Ａ〜２Ｆを隣接配置してなり特定の天板２Ｃを取り外して異なった形態で使用することもできるようにした天板付家具たるテーブルに使用されるものであって、取り外される天板２Ｃを支持するものである。
【００５４】
この実施形態では、中間脚３Ａ、３Ｂ間の配線ダクト４Ｃを取り外しているが、連続配線が必要な場合には、この配線ダクト４Ｃを残したものであってもよい。
【００５５】
本実施形態に係るテーブルは、前述した第１及び第２の実施形態に係るテーブルと同様な効果が得られる。さらに、このような実施形態であれば、天板２Ｃを取り外すことによって露出することになるブラケット３３を取り外している。この場合、中間脚３Ａ、３Ｂの脚本体３１の厚み方向片半部が前記スペースＳ側に露出することになるが、ブラケット３３による出っ張りがないので、その部分を隠すための図示しないカバー等を容易に取り付けることも可能になる。
【００５６】
次に、本発明の第４実施形態にかかるテーブルを図１２を用いて説明する。
【００５７】
このテーブルは、前記第１実施形態における中間の天板２Ｃ、２Ｄを取り外し、その場所に試作品やコピー機等の種々の必要物品を配置するためのスペースＳを確保したものである。すなわち、前記中間脚３Ａ、３Ｂは、複数の天板２Ａ〜２Ｆを隣接配置してなり特定の天板２Ｃ、２Ｄを取り外して異なった形態で使用することもできるようにした天板付家具たるテーブルに使用されるものであって、取り外される天板２Ｃ、２Ｄを支持するものである。
【００５８】
本実施形態に係るテーブルは、前述した第１及び第２の実施形態に係るテーブルと同様な効果が得られる。さらに、このような実施形態であれば、天板２Ｃ、２Ｄを取り外すことによって露出することになるブラケット３３を取り外している。この場合、中間脚３Ａ、３Ｂの脚本体３１の厚み方向片半部が前記スペースＳ側に露出することになるが、ブラケット３３による出っ張りがないので、その部分を隠すための図示しないカバー等を容易に取り付けることも可能になる。
【００５９】
次に、本発明の第５実施形態にかかるテーブルを図１３を用いて説明する。
【００６０】
このテーブルは、前記第１実施形態における中間の天板２Ｃを取り外し、その場所に２枚の天板２Ｇ、２Ｈを配置するとともに、中間の天板２Ｄを取り外し、その場所に２枚の天板２Ｉ、２Ｊを配置したものである。すなわち、天板２Ｃ、２Ｄを取り外すことによって露出した配線ダクト４Ｃの一側面に新たに追加した中間脚３Ｃを取り付けるとともに、配線ダクト４Ｃの他側面に新たに追加した中間脚３Ｄを取り付ける。そして、この中間脚３Ｃに新たに追加した配線ダクト４Ｄを介して新たに追加した端部脚１Ｃと対面配置し、その端部脚１Ｃと前記中間脚３Ｃとの間に２枚の前記天板２Ｇ、２Ｈを配置している。中間脚３Ｄも同様に、新たに追加した配線ダクト４Ｅを介して新たに追加した端部脚１Ｄと対面配置し、その端部脚１Ｄと前記中間脚３Ｄとの間に２枚の前記天板２Ｉ、２Ｊを配置している。
【００６１】
前記中間脚３Ａ、３Ｂは、複数の天板２Ａ〜２Ｆを隣接配置してなり特定の天板２Ｃ、２Ｄを取り外して異なった形態で使用することもできるようにした天板付家具たるテーブルに使用されるものであって、取り外される天板２Ｃ、２Ｄを支持するものである。また、この中間脚３Ｃ、３Ｄは、複数の天板２Ａ、２Ｂ、２Ｅ、２Ｆを隣接配置してなり天板２Ｇ、２Ｈ、２Ｉ、２Ｊを追加して異なった形態で使用することもできるようにした天板付家具たるテーブルに使用されるものであって、追加される天板２Ｇ、２Ｈ、２Ｉ、２Ｊを支持するものである。
【００６２】
具体的には、新たに追加した中間脚３Ｃの一方の側面３１ａ、すなわち配線ダクト４Ｃ側の側面３１ａに取り付けられるべきブラケット３３は、配線ダクト４Ｃとの干渉を避けるために取り除いてある。また、中間脚３Ｃの他方の側面３１ｂにも天板２Ｇ、２Ｈを引きつけるための２つのブラケット３３を取り付けるための取付領域３１７が設定されているが、この実施形態においては、前記中間脚３Ａ、３Ｂによっても天板２Ｇ、２Ｈが支持されている関係上、強度的に十分であるため、前記中間脚３Ｃのアーム３１１の基端側の取付領域３１７のみにブラケット３３を取り付けている。なお、符号５Ｄは開閉可能に設けられた配線カバーであり、符号６Ａは天板２Ｇ、２Ｈの寸法を調整するための巾木である。
【００６３】
中間脚３Ｄは、中間脚３Ｃと同様に、中間脚３Ｄの一方の側面３１ａ、すなわち配線ダクト４Ｃ側の側面３１ａに取り付けられるべきブラケット３３は、配線ダクト４Ｃとの干渉を避けるために取り除いてある。また、中間脚３Ｃの他方の側面３１ｂにも天板２Ｉ、２Ｊを引きつけるための２つのブラケット３３を取り付けるための取付領域３１７が設定されているが、この実施形態においては、前記中間脚３Ａ、３Ｂによっても天板２Ｉ、２Ｊが支持されている関係上、強度的に十分であるため、前記中間脚３Ｄのアーム３１１の基端側の取付領域３１７のみにブラケット３３を取り付けている。なお、符号５Ｅは開閉可能に設けられた配線カバーであり、符号６Ｂは天板２Ｉ、２Ｊの寸法を調整するための巾木である。
【００６４】
本実施形態に係るテーブルは、前述した第１及び第２の実施形態に係るテーブルと同様な効果が得られる。さらに、このように脚本体３Ｃ、３Ｄに対してブラケット３３が着脱可能であれば、配線ダクト４Ｃ等の他の部材との干渉や強度上の要求に応じることができる。
【００６５】
なお、本発明は以上に述べた実施形態に限られない。
【００６６】
例えば、本発明の脚を天板付家具であるテーブルの端部脚として利用するものであってもよい。また、端部脚、中間脚及び天板の大きさ、形状はこれに限られず、さらに、これら端部脚、中間脚及び天板の数またはこれらの組合せについても種々変更可能である。
【００６７】
また、ブラケットが緊締具で天板に取り付けられた際に、ブラケットの頂面と天板の下面との間に小さい隙間を生じなくとも、ブラケットにかかる負荷がほとんどない状態でブラケットの頂面と天板の下面とが当接するものであってもよい。
【００６８】
その他、本発明の趣旨を損ねない範囲で種々に変更してよい。
【符号の説明】
【００６９】
２Ａ〜２Ｊ…天板
２Ａ１〜２Ｊ１…側縁部
２Ａ２〜２Ｊ２…反使用端
３Ａ１、３Ｂ１…天板受け面
３１…脚本体
３１ａ、３１ｂ…側面
３１１…アーム
３１２…支柱
３１８…係合孔
３２…緊締具（ボルト）
３３…ブラケット
３３１…係合爪
４Ａ〜４Ｅ…配線ダクト
【図１】
0005463608.tif 000002
【図２】
0005463608.tif 000003
【図３】
0005463608.tif 000004
【図４】
0005463608.tif 000005
【図５】
0005463608.tif 000006
【図６】
0005463608.tif 000007
【図７】
0005463608.tif 000008
【図８】
0005463608.tif 000009
【図９】
0005463608.tif 000010
【図１０】
0005463608.tif 000011
【図１１】
0005463608.tif 000012
【図１２】
0005463608.tif 000013
【図１３】
0005463608.tif 000014